(57)【要約】      （修正有） 【課題】幼児や要介護者に履かせやすく、かつフィッティングの良い靴を提供する。【解決手段】靴１は、ハイカット部７を有し、開口部の下面に舌片を設け、開口部の両側に側甲被を配置した靴において、開口部の側甲被に第１の緊締ベルト２と第２の緊締ベルト３を設け、前記第１の緊締ベルトは外側のハイカット部と、側甲被の下部を切り欠いてハイカット部を延長したベルトとなし内側の側甲被に面ファスナーを介して着脱自在に止着すると共に、第２の緊締ベルトは、内側の側甲被より外側の側甲被の下部９に差し渡し、面ファスナーを介して着脱自在に止着した構造の靴である。また、第１の緊締ベルトには、開いたときの戻りを防止するためにベルトの幅方向に複数状のステッチ６を施し、第２の緊締ベルトは、戻りを防止すのためにＤ環とで内側の側甲被と連結した。【選択図】図１
0003139134.tif 000002
【実用新案登録請求の範囲】
【請求項１】
ハイカット部と、甲被を切り欠いた開口部と、開口部の下面に設けた舌片と、開口部の両側に配置した側甲被と、開口部に差し渡した緊締ベルトで構成した靴において、外側のハイカット部と側甲被の下部とを切り欠いて、前記ハイカット部を延長した第１の緊締ベルトとなし内側のハイカット部の側甲被に着脱自在に止着すると共に、内側の側甲被には第２の緊締ベルトを設けて外側の側甲被の下部と着脱自在に止着し、第１の緊締ベルトと第２の緊締ベルトを互いに交差させたことを特徴とする靴。
【請求項２】
前記第２の緊締ベルトは内側の側甲被とＤ環と連結していることを特徴とする請求項１記載の靴。
【請求項３】
前記第１の緊締ベルトのハイカット部には、ベルトの幅方向に複数状のステッチを設けたことを特徴とする請求項１又は２記載の靴。
【請求項４】
前記第１の緊締ベルトと前記第２の緊締ベルトは、面ファスナーを介して着脱自在であることを特徴とする請求項１から３いずれか１項記載の靴。
【請求項５】
ハイカット部の踵部に履き口パットを設けたことを特徴とする請求項１から４いずれか１項記載の靴。
【考案の詳細な説明】
【技術分野】
【０００１】
本考案は、子供靴や要介護者のための履かせやすく、且つフィッティングの良い靴に関する。
【背景技術】
【０００２】
甲ベルトの裏面に面ファスナーを設けて着脱可能な子供靴について、開口部の両側に配置された側甲被の一方の側甲被に２本の甲ベルトを設けて他方の側甲被に差し渡し同方向でベルトを着脱自在とした子供靴は従来の靴として知られている。（図４に従来の靴の一例を表示）
特許文献１には、甲かぶせ部と踵かぶせ部を別体に構成して靴底に取り付け、甲かぶせ部と踵かぶせ部の重なり合う部分に面ファスナーを設け着脱可能とした靴が履かせやすい靴として記載されている。(図５に特許文献１の図面を表示)
【特許文献１】実開昭５５−９８２０２号公報
【考案の開示】
【考案が解決しようとする課題】
【０００３】
自力で靴を履くことができない子供や要介護者が靴を履く時、履き口が通常の靴よりも広く開くことができて、足が入れ易く、楽に履かせることができる靴が求められている。
また、甲ベルトを開いたとき、甲ベルトが戻らずに開いた状態を保つことができる靴が求められている。
【０００４】
そして、甲ベルトを閉じた時には、確実に足をホールドし、フィッティング良く足を包み込むことができる靴が求められている。
本考案の靴は、上記問題点を解決するための靴の構造を提案するものである。
【課題を解決するための手段】
【０００５】
本考案の靴は、踵部分に履き口パットを有するハイカットタイプの靴であり、甲前開口部の下面に舌片を有し、甲前開口部に臨む一方の側甲被に第１の緊締ベルトと第２の緊締ベルトを設けた靴において、前記第１の緊締ベルトは下部の側甲被を切り欠きハイカット部を延長してベルトとなし、対向する側甲被に面ファスナーを介して着脱自在に止着すると共に、第２の緊締ベルトは、第１の緊締ベルトと交差するように第１の緊締ベルトと反対側の側甲被に取り付け、面ファスナーを介して対向する側甲被と着脱自在に止着することを特徴とする。
【０００６】
外側の側甲被の上部を切り欠いてハイカット部を延長した第１の緊締ベルトとしているので、前記ベルトを開いたとき舌片との間に空間が生じ、履き口部分が広くなるので、足が入れやすく履かせ易い。
【０００７】
本考案の靴において、第２の緊締ベルトはベルトの取り付け部においてＤ環と連結していることを特徴とする。
本考案の靴は第２の緊締ベルトが取り付け部においてＤ環と連結していることにより、前記第２の緊締ベルトを開いた時にベルトの戻りを防止することができる。
【０００８】
本考案の靴において、第１の緊締ベルトの取り付け部にはベルトの幅方向に複数状のステッチを設けていることを特徴とする。
本考案の靴は、第１の緊締ベルトの取り付け部には、ベルトの幅方向に複数状のステッチを設けているので、ベルトを開いた状態でもベルトの戻りを防止することができるので靴に足を入れ易くなる。
【０００９】
本考案の靴は、ハイカット部の踵部に履き口パットを設けたことを特徴とする。
本考案の靴の踵部にはウレタンフォームの挿入されたクッション製の良い履き口パットが設けられているので、幼児の足に快適な履き心地をもたらす。
【考案の効果】
【００１０】
本考案の靴は、ハイカット部の第１の緊締ベルトがそのまま延長されているので、第１の緊締ベルトを開いたとき、履き口の開口部の空間が広くなり、足が入れ易くなる。
【００１１】
本考案の靴は、ハイカット部の第１の緊締ベルトと、爪先部の第２の緊締ベルトが互いに交差しているので、従来の靴のように一方向の甲ベルトの固定でないので、フィッティングが良く足を包み込むようにホールドできる。  
【００１２】
また、ハイカット部の第１の緊締ベルトには根元の部分には幅方向に複数上の縫い目が設けられており、第２の緊締ベルトはＤ環と連結しているので、甲ベルトを開いたとき戻りを防止でき、履き易い。  
【考案を実施するための最良の形態】
【００１３】
以下に、本考案の靴をその実施の形態に表した図面に基づいて説明する。
図１は、本考案の靴の外側から見た第１の緊締ベルトを閉じたときの斜視図である。
図２は、本考案の靴の外側から見た第１の緊締ベルトを開いたときの斜視図である。
図３は、本考案の靴の内側から見た第１の緊締ベルトを閉じたときの斜視図である。
【００１４】
１． 本考案の靴甲被の構造
<第１の緊締ベルト>
本考案の靴は、ハイカット部を有する靴であり、図２に示すように外側の側甲被のハイカット部と下部の側甲被を切欠して上部のハイカット部の甲被を延長して第一の緊締ベルトをなし、このベルトの裏面に面ファスナー（フック部）を設け、またベルトの付着する側甲被にも所定の位置に面ファスナー（ループ部）を設けて面ファスナーを介して着脱可能とする。
第１の緊締ベルトには、ベルトの取り付け部分にベルトの幅方向に複数状のステッチを施している。
図２のようにベルトを開いたときにベルトの戻りを防止する為である。また、第１の緊締ベルトを開いたときに舌片との間に大きな空間を生じるので、足を入れ易く履かせやすい。
ハイカット部には、踵部に履き口パットを設けており、履いた時にソフト感を与える。
【００１５】
<第２の緊締ベルト>
第２の緊締ベルトは第１の緊締ベルトの下側に設け、第１の緊締ベルトと交差するように設ける。図３に示すように、内側の側甲被は、ハイカット部まで達し、内側の側甲被の様には切欠されてはいない。内側の側甲被にＤ環を設け、このＤ環に第２の緊締ベルトを連結して、対向する外側の切り欠いた方の下部の側甲被と面ファスナーを介して着脱自在とする。このベルトの裏面に面ファスナー（フック部）を設け、またベルトの付着する下部の側甲被にも所定の位置に面ファスナー（ループ部）を設けて面ファスナーを介して着脱可能とする。
【００１６】
２．本考案の靴の作成
本考案の靴は、上記靴甲被の下面に底ゴムを貼り着けたものである。
具体的には、上記靴甲被をラストに中底と共に吊り込みした後、底面に接着剤を塗付し未加硫の底ゴムを貼り着ける。次にラストの入った靴を加硫缶に投入し、１２０℃で６０分間熱空気加硫を行い、加硫缶から搬出した後、ラストを型抜きし、本考案の靴を得る。
【図面の簡単な説明】
【００１７】
【図１】本考案の靴の外側から見た第１の緊締ベルトを閉じたときの斜視図
【図２】本考案の靴の外側から見た第１の緊締ベルトを開いたときの斜視図
【図３】本考案の靴の内側から見た第１の緊締ベルトを閉じたときの斜視図
【図４】従来の靴
【図５】特許文献１記載の靴
【符号の説明】
【００１８】
１．靴
２．第１の緊締ベルト
３．第２の緊締ベルト
４．舌片
５．Ｄ環
６．第１の緊締ベルトの幅方向のステッチ
７．ハイカット部
８．内側の側甲被
９．外側の側甲被の下部
１０．履き口パット
１１．履き口の空間部
１２．側甲被の切欠部
【図１】
0003139134.tif 000003
【図２】
0003139134.tif 000004
【図３】
0003139134.tif 000005
【図４】
0003139134.tif 000006
【図５】
0003139134.tif 000007